(57)【要約】      （修正有）【課題】電動工具用スイッチを組み立てる際の部品点数を削減してコストダウンを図ると共に、容易に電動工具に取り付けられるようにした電動工具用スイッチにおける摺動抵抗基板の取り付け構造を提供する。【解決手段】外部回路接続端子をコネクタ化し、コネクタ１６を摺動抵抗基板に接続し、ハウジング１２に開口部１７を形成し、開口部の内側に摺動抵抗基板を配設して摺動抵抗基板に接続したコネクタを開口部の外側に配設させたことにより、電動工具用スイッチ１を組み立てる際の部品点数を削減してコストダウンを図ると共に、該電動工具用スイッチを容易に電動工具に取り付けられるようにする。【選択図】図３
2005153029.tif 000002
【特許請求の範囲】
【請求項１】
少なくともハウジングに形成された孔部に摺動可能な状態で挿設された操作部材と、該操作部材の摺動に伴って移動する可動接片と、該可動接片に接触する摺動抵抗基板と、該摺動抵抗基板に接続する複数の外部回路接続端子とからなる電動工具用スイッチであって、
前記外部回路接続端子をコネクタ化し、該コネクタを前記摺動抵抗基板に接続し、前記ハウジングに開口部を形成し、該開口部の内側に摺動抵抗基板を配設して該摺動抵抗基板に接続したコネクタを前記開口部の外側に配設させたこと
を特徴とする電動工具用スイッチにおける摺動抵抗基板の取り付け構造。
【発明の詳細な説明】
【技術分野】
【０００１】
本発明は、例えば、電動ドリル等の電動工具に配設される電動工具用スイッチにおける電動工具の回転速度を可変させる摺動抵抗基板と、該摺動抵抗基板に接続するコネクタとを容易に取り付けを行うことができるようにした電動工具用スイッチにおける摺動抵抗基板の取り付け構造に関するものである。
【背景技術】
【０００２】
従来、電動ドリル等の電動工具に配設される電動工具用スイッチとしては、例えば、ベース部材の底面に固定されたコモン端子によりほぼ接片中央部を支点としてシーソ状に回動し一端に固定接点に対向する可動接点と他端に鈎状に屈曲する屈曲部とを有する可動接片と、前記ベース部材の前面を貫通してスイッチをオンオフさせる操作子と結合して前記屈曲部を押圧できるガイド部を有する操作部と、前記ベース部材の前面に突接された保持部材に回動可能なように支持され前記操作部に関連して結合された反転バネを有するバネ反転部と、前記ベース部材に設けられたバネ保持部材と前記可動接片との間に挿入された押圧バネとを有する電気スイッチがある。
【特許文献１】特開２００２−１７５７３９号公報
【０００３】
この特許文献１の公知技術においては、ケースに開口部を形成し、該開口部を介して端子を配設し、該端子を介して電気スイッチの内外を電気的に接続できるようにしている。
【０００４】
この種の電動工具用スイッチを使用して、電動ドリル等の電動工具の回転速度を可変できるようにした場合を図４に示してある。図４に示したように、電動工具用スイッチ１のハウジング２には、孔部３が形成されており、該孔部３を介して操作部材４が摺動可能な状態で前記ハウジング２の内部にまで挿設されている。
【０００５】
操作部材４のハウジング２内の端部には、例えば、バネ材等の弾性体５が配設されており、該弾性体５により、前記操作部材４は、ハウジング２から突出する方向に常に付勢されている。
【０００６】
そのため、前記操作部材４を人為的に押圧して進行方向矢印ａの方向に摺動させた後に、該押圧力を解除した場合には、弾性体５により該操作部材４が常に付勢されているため、前記操作部材４は自動的に元の位置に復帰するのである。
【０００７】
この操作部材４には、可動接片６が配設されており、該可動接片６は、前記操作部材４の摺動に伴って移動する、即ち、該操作部材４が人為的な押圧力によって矢印ａの方向に摺動すると、該操作部材４に配設された可動接片６は、該操作部材４と共に矢印ａの方向に移動するのである。
【０００８】
ハウジング２内には、操作部材４の進行方向と水平に摺動抵抗基板７が配設されており、該摺動抵抗基板７には、可動接片６が接触している。この摺動抵抗基板７には、図示はしていないが抵抗素子等からなる回路が形成されており、該摺動抵抗基板７の表面を可動接片６が移動して摺動し、その可動接片６と摺動抵抗基板７との接触する位置が変化することにより、該摺動抵抗基板７から得られる抵抗値が変化するのである。
【０００９】
摺動抵抗基板７には、電動工具用スイッチ１の外部の回路に接続される複数の外部回路接続端子８が配設され、該外部回路接続端子８は、前記摺動抵抗基板７に形成された回路に、例えば、半田付け等によって接続されている。
【００１０】
そのため、操作部材４を摺動させて、該操作部材４に取り付けてある可動接片６を移動させることにより、該可動接片６と摺動抵抗基板７との接触する位置を変化させ、該摺動抵抗基板７から得られる抵抗値を変化させることにより、電動工具用スイッチ１が取り付けられ外部回路接続端子８を介して接続された電動ドリル等の電動工具の図示していないモーター等の回転速度等の切換えができるようになるのである。
【００１１】
電動工具用スイッチ１のハウジング２には、複数の孔部９が形成されており、該孔部９のそれぞれに複数の外部回路接続端子８を一つ一つ配設させている。
【発明の開示】
【発明が解決しようとする課題】
【００１２】
しかしながら、前記図４の従来技術においては、電動工具用スイッチ１のハウジング２に形成された複数の孔部９にそれぞれ外部回路接続端子８を配設させているため、該外部回路接続端子８の数分だけ部品点数と組み立て工数とが増加してコストアップすると共に、前記外部回路接続端子８が電動工具用スイッチ１のハウジング２から突出しているため、該電動工具用スイッチ１を電動工具に取り付ける作業が困難であるという問題点を有している。
【００１３】
従って、従来の電動工具用スイッチにおける摺動抵抗基板の取り付け構造において、電動工具用スイッチを組み立てる際の部品点数を削減してコストダウンを図ると共に、該電動工具用スイッチを容易に電動工具に取り付けられるようにするということに解決しなければならない課題を有している。
【課題を解決するための手段】
【００１４】
上記した従来例の課題を解決する具体的手段として本発明に係る電動工具用スイッチにおける摺動抵抗基板の取り付け構造は、少なくともハウジングに形成された孔部に摺動可能な状態で挿設された操作部材と、該操作部材の摺動に伴って移動する可動接片と、該可動接片に接触する摺動抵抗基板と、該摺動抵抗基板に接続する複数の外部回路接続端子とからなる電動工具用スイッチであって、前記外部回路接続端子をコネクタ化し、該コネクタを前記摺動抵抗基板に接続し、前記ハウジングに開口部を形成し、該開口部の内側に摺動抵抗基板を配設して該摺動抵抗基板に接続したコネクタを前記開口部の外側に配設させたことを最も主要な特徴とする。
【発明の効果】
【００１５】
以上説明したように、本発明に係る電動工具用スイッチにおける摺動抵抗基板の取り付け構造は、少なくともハウジングに形成された孔部に摺動可能な状態で挿設された操作部材と、該操作部材の摺動に伴って移動する可動接片と、該可動接片に接触する摺動抵抗基板と、該摺動抵抗基板に接続する複数の外部回路接続端子とからなる電動工具用スイッチであって、前記外部回路接続端子をコネクタ化し、該コネクタを前記摺動抵抗基板に接続し、前記ハウジングに開口部を形成し、該開口部の内側に摺動抵抗基板を配設して該摺動抵抗基板に接続したコネクタを前記開口部の外側に配設させたことにより、電動工具用スイッチを組み立てる際の部品点数を削減してコストダウンを図ると共に、該電動工具用スイッチを容易に電動工具に取り付けられるようにすることができ、部品の共有化を図ることができるという優れた効果を奏する。
【発明を実施するための最良の形態】
【００１６】
次に、本発明を具体的な実施の形態に基づいて詳しく説明する。
本発明の実施の形態に係る電動工具用スイッチにおける摺動抵抗基板の取り付け構造を図１〜図３を用いて説明する。なお、この本発明の実施の形態においては、前記従来技術の外部回路接続端子をコネクタ化して配設したものであり、その他の構成については、前記従来技術と同一であるため、前記従来技術と同様の構成の部分については、説明が重複するため、同一の符号を付して図面の理解を容易にし、その詳細な説明は省略することとする。
【００１７】
図１に、本発明に係る電動工具用スイッチにおける摺動抵抗基板の取り付け構造を分解して略示的に示した斜視図を示してある。電動工具用スイッチ１１のハウジング１２は、ハウジング上部材１２ａと、ハウジング底部材１２ｂとからなり、これらハウジング上部材１２ａと、ハウジング底部材１２ｂとの結合部に形成された図示していない孔部を介して、操作部材４が摺動可能な状態で前記ハウジング１２の内部にまで挿設されている。
【００１８】
操作部材４のハウジング１２内に挿設されている側には、弾性体５と可動接片１３とが配設されており、該弾性体５により前記操作部材４は、該ハウジング１２から突出する方向に付勢されている。この弾性体５としては、例えば、バネ等の弾性体を使用することができる。
【００１９】
可動接片１３は、細長い略矩形状でその両端部が短冊状に形成された金属板を屈曲させて形成させたものであり、該金属板の中央部を残して両側を略山形状に屈曲させた板バネ状であるため、弾性を有している。
【００２０】
操作部材４のハウジング１２内に挿設されている側には、摺動ガイド部１４が形成されており、また、ハウジング底部材１２ｂの上部には、摺動ガイド溝１５が形成されている。そして、操作部材４の摺動ガイド部１４をハウジング底部材１２ｂの摺動ガイド溝１５に嵌合させることにより、操作部材４を人為的に押圧操作した際に、前記摺動ガイド溝１５に沿って前記摺動ガイド部１４が摺動するため、前記操作部材４は所定範囲内で摺動するのである。
【００２１】
ハウジング１２内の操作部材４の進行方向と水平で可動接片１３が配設されている側には、該可動接片１３と接触可能な間隙をもって摺動抵抗基板７が配設される。該摺動抵抗基板７には、コネクタ１６が配設・接続されている。
【００２２】
このコネクタ１６には、図示はしていないが、電動工具用スイッチ１１の外部の回路に接続される複数の外部回路接続端子が配設されており、該外部回路接続端子は、前記摺動抵抗基板７に形成された回路に、例えば、半田付け等によって接続されるため、該コネクタ１６の摺動抵抗基板７を介して、電動工具用スイッチ１１の外部の回路と、前記摺動抵抗基板７に形成された回路とを電気的に接続させることができるのである。
【００２３】
ハウジング上部材１２ａの所定位置には、コネクタ１６の大きさの開口部１７が形成されており、ハウジング１２の内側、即ち前記開口部１７の内側に摺動抵抗基板７を配設させた際、前記開口部１７からコネクタ１６が突出するようになって、該コネクタ１６が開口部１７の外側に配設されるようになる。
【００２４】
また、図示はしていないが、ハウジング上部材１２ａの内側には、摺動抵抗基板７の突起部７ａに対応した切り欠き部が形成されており、該切り欠き部に突起部７ａに係合させることにより、摺動抵抗基板７の移動が防止されるようになっている。
【００２５】
図２に、電動工具用スイッチ１１の略示的な断面図を示してある。図２に示したように、可動接片１３が配設されている側には、摺動抵抗基板７が配設され、該可動接片１３と摺動抵抗基板７とは、常に接触した状態にある。
【００２６】
そのため、操作部材４を人為的に押圧して摺動させた場合には、該操作部材４の摺動に伴って、該操作部材４に取り付けてある可動接片１３も移動するため、該可動接片１３と摺動抵抗基板７との接触する位置が変化することにより、該摺動抵抗基板７から得られる抵抗値が変化することになり、該抵抗値の変化をコネクタ１６に配設された複数の外部回路接続端子を介して接続された図示していないモーター等の回転速度等の切換えをすることができるようになるのである。
【００２７】
図３に、電動工具用スイッチ１１の略示的な斜視図を示してある。図３に示してあるように、ハウジング上部材１２ａに形成された開口部１７の外側にコネクタ１６が配設された際、該コネクタ１６は、電動工具用スイッチ１１から突出することもなく、ハウジング１の外周面内に収まるようになっている。
【００２８】
このように、外部回路接続端子をコネクタ化に配設したことにより、該コネクタ１６を摺動抵抗基板７に配設・接続するだけで良いため、電動工具用スイッチ１１を組み立てる際の部品点数を削減してコストダウンを図ることができ、ハウジング１２のハウジング上部材１２ａに開口部１７を形成し、該開口部１７の内側に摺動抵抗基板７を配設して該摺動抵抗基板７に接続したコネクタ１６を前記開口部１７の外側に配設させたので、電動工具用スイッチ１１に突出した部位がなくなって、該電動工具用スイッチ１１を容易に電動工具に取り付けることができるのである。
【図面の簡単な説明】
【００２９】
【図１】本発明に係る電動工具用スイッチにおける摺動抵抗基板の取り付け構造を分解して略示的に示した斜視図である。
【図２】同電動工具用スイッチにおける摺動抵抗基板の取り付け構造を略示的に示した断面図である。
【図３】同電動工具用スイッチにおける摺動抵抗基板の取り付け構造を略示的に示した斜視図である。
【図４】従来例である電動工具用スイッチを使用して、電動ドリル等の電動工具の回転速度を可変できるようにした場合の説明図であり、一部を切り欠いて示した斜視図である。
【符号の説明】
【００３０】
１、１１  電動工具用スイッチ
２、１２  ハウジング
３、９  孔部
４  操作部材
５  弾性体
６、１３  可動接片
７  摺動抵抗基板
７ａ  突起部
８  外部回路接続端子
１２ａ  ハウジング上部材
１２ｂ  ハウジング底部材
１４  摺動ガイド部
１５  摺動ガイド溝
コネクタ  １６
開口部  １７
【図１】
2005153029.tif 000003
【図２】
2005153029.tif 000004
【図３】
2005153029.tif 000005
【図４】
2005153029.tif 000006